【手続補正書】
【提出日】平成15年9月3日(2003.9.3)
【手続補正１】
【補正対象書類名】明細書
【補正対象項目名】全文
【補正方法】変更
【補正の内容】
【発明の名称】圧縮機の支持構造及び冷凍冷蔵庫及び空気調和機及び除湿機
【特許請求の範囲】
【請求項１】圧縮機を複数のばねで支持する圧縮機の支持構造において、電極側のばねと配管側のばねを異なるばね定数にして共振を回避するようにしたことを特徴とする圧縮機の支持構造。
【請求項２】圧縮機を複数のばねで支持する圧縮機の支持構造において、
共振を起こして振動の大きい位置の前記ばねのばね定数を小さくし、共振を回避して前記圧縮機の振動を抑制したことを特徴とする請求項１記載の圧縮機の支持構造。
【請求項３】前記圧縮機を横型圧縮機で構成したことを特徴とする請求項２記載の圧縮機の支持構造。
【請求項４】請求項１または請求項２または請求項３記載の圧縮機の支持構造を有することを特徴とする冷凍冷蔵庫。
【請求項５】請求項１または請求項２または請求項３記載の圧縮機の支持構造を有することを特徴とする空気調和機。
【請求項６】請求項１または請求項２または請求項３記載の圧縮機の支持構造を有することを特徴とする除湿機。
【発明の詳細な説明】
【０００１】
【発明の属する技術分野】
この発明は、圧縮機の支持構造に関するもので、更にその圧縮機の支持構造を搭載した冷凍冷蔵庫、空気調和機及び除湿機に関するものである。
【０００２】
【従来の技術】
図５は複数のばねが同一である従来の横型圧縮機の支持構造を示す図である。図において、１は横型圧縮機、２は横型圧縮機１のシェル、３は横型圧縮機１の吐出管、４は横型圧縮機１の吸入管、８はシェル２の内部に搭載されたモーター、９はシェル２に取付けられた電極側フットシェル、１０はシェル２に取付けられた配管側フットシェルである。
【０００３】
横型圧縮機１は、上ゴム６及び下ゴム７を介して、支持及び防振のためのばね５で支持されている。複数設けられたばね５は、全て同一である。横型圧縮機１のモーター８は、横型圧縮機１内の中央に位置していないため、横型圧縮機１から伝わる振動の大きさは、各々のばね５により異なり、全てのばね５が振動の低減に対し効果のあるばね定数であるとは限らず、横型圧縮機１の振動が大きくなる傾向があった。
【０００４】
また、各々のばね５に異なる振動が伝わるにも関らず、各々のばね５が同一であり、各々が異なる挙動をし、横型圧縮機１が複雑に振動し、吐出管３、吸入管４に大きな振動が伝わり、吐出管３、吸入管４が大きく振動し、吐出管３、吸入管４に大きな応力がかかることがあった。
【０００５】
横型圧縮機１は、シェル２を支持する電極側フットシェル９、配管側フットシェル１０を有している。シェル２は配管側と電極側で形状が異なるため、電極側フットシェル９、配管側フットシェル１０は形状が相異なる。
【０００６】
電極側フットシェル９、配管側フットシェル１０は、横型圧縮機１の加振に対し共振することがある。電極側フットシェル９、配管側フットシェル１０は形状が異なるので、横型圧縮機１の同一の駆動周波数に対して、電極側フットシェル９が共振しても配管側フットシェル１０は共振しない。逆も同様である。
【０００７】
従って、横型圧縮機１を支持するばね５に伝わる振動の大きさや位相は取付位置によって相異なり、横型圧縮機１が複雑に振動し、大きい騒音の原因となったり、電極側フットシェル９、配管側フットシェル１０に対して大きな振動が伝わり、電極側フットシェル９、配管側フットシェル１０が大きく振動し、吐出管３、吸入管４に大きな応力がかかることがあった。
【０００８】
図２は、例えば特開平３−１３４２６９号公報に示された複数のばねが異なる従来の横型圧縮機の支持構造を示す図である。ばね５ａ、５ｂ、５ｃ、５ｄのばね定数は、各々にかかる力の大きい順に大きくしてある。しかし、各々に伝わる力の大きさは考慮されていても、共振による振動を考慮しておらず、横型圧縮機１が共振した場合に振動及び配管応力の低減には効果がなかった。
【０００９】
また、レシプロ圧縮機及び縦型ロータリー圧縮機においても、共振による振動を考慮しておらず、レシプロ圧縮機及び縦型ロータリー圧縮機が共振した場合に振動及び配管応力が大きくなる問題があった。
【００１０】
【発明が解決しようとする課題】
従来の圧縮機は、圧縮機を支持するばねを全てが同一にするか、又は各々のばねに伝わる力が大きい程、ばね定数を大きくするだけであったため、圧縮機が共振した場合に大きく振動して、圧縮機から大きい騒音が発生するという問題点があった。
【００１１】
また、圧縮機の複雑な振動は、配管に大きな振動が伝わって配管が大きく振動し、配管に大きな応力がかかるという問題点があった。
【００１２】
また、横型圧縮機は、レシプロ圧縮機及び縦型ロータリー圧縮機よりも顕著に対称性がないため、上記のような問題が起こりやすい。勿論、横型圧縮機及び縦型ロータリー圧縮機も完全な対称性はないため上記のような問題は起こる。
【００１３】
この発明は、かかる問題点を解決するためになされたもので、圧縮機の支持構造に関し、共振する圧縮機の部位に設けられているばねのばね定数を相対的に小さくすることにより、圧縮機の低振動化、低騒音化及び配管の損傷を抑制することを目的とする。
【００１４】
【課題を解決するための手段】
この発明に係る圧縮機の支持構造は、圧縮機を複数のばねで支持する圧縮機の支持構造において、電極側のばねと配管側のばねを異なるばね定数にして共振を回避するようにしたことを特徴とする。
【００１５】
また、この発明に係る圧縮機の支持構造は、圧縮機を複数のばねで支持するものにおいて、共振を起こして振動の大きい位置のばねのばね定数を小さくし、共振を回避して圧縮機の振動を抑制したものである。
【００１６】
また、圧縮機を横型圧縮機で構成したものである。
【００１７】
この発明に係る冷凍冷蔵庫は、請求項１または請求項２または請求項３記載の圧縮機の支持構造を有するものである。
【００１８】
この発明に係る空気調和機は、請求項１または請求項２または請求項３記載の圧縮機の支持構造を有するものである。
【００１９】
この発明に係る除湿機は、請求項１または請求項２または請求項３記載の圧縮機の支持構造を有するものである。
【００２０】
【発明の実施の形態】
実施の形態１．
以下、この発明の実施の形態１を図面を参照して説明する。
図１は実施の形態１を示す図で、横型圧縮機の支持構造を示す図である。図において、１は横型圧縮機、２は横型圧縮機１のシェル、３は横型圧縮機１の吐出管、４は横型圧縮機１の吸入管、５ｅは電極側のばね、５ｆは配管側のばね、６は上ゴム、７は下ゴム、８はシェル２の内部に搭載されたモーター、９はシェル２に取付けられた電極側フットシェル、１０はシェル２に取付けられた配管側フットシェルである。
【００２１】
電極側のばね５ｅ、配管側のばね５ｆは、異なるばね定数を有している。また、横型圧縮機１を搭載した状態で電極側のばね５ｅ、配管側のばね５ｆの高さが全て同じになるように設定している。
【００２２】
Ｏは横型圧縮機１の中心であり、Ｇは横型圧縮機１の重心である。横型圧縮機１は、ｌ１を含む垂直面に対し対称でないため、重心Ｇは、中心Ｏと同一でない。またｌ２を含む垂直面に対しても対称でない。
【００２３】
従って、電極側フットシェル９、配管側フットシェル１０の形状は異なり、横型圧縮機１の駆動周波数に対し、電極側フットシェル９が共振しても、配管側フットシェル１０は共振しない。
【００２４】
電極側フットシェル９に取付けられている電極側のばね５ｅのばね定数を相対的に小さくすることにより、共振を回避し、横型圧縮機１の振動の低減ができる。振動は、振動ピックアップを用いて測定することができる。勿論、配管側フットシェル１０が共振する場合も同様である。
【００２５】
実施の形態２．
以下、この発明の実施の形態２を図面を参照して説明する。
図２は実施の形態２を示す図で、横型圧縮機の支持構造を示す図である。図において、電極側のばね５ｈのばね定数を相対的に小さくしている。その他は図１と同様である。
【００２６】
横型圧縮機１の駆動周波数に対し、横型圧縮機１が共振を起こし、電極側のばね５ｈが大きく振動するが、ｌ１及びｌ２に対し横型圧縮機１は対称でないため、電極側のばね５ｈ以外のばねは大きく振動しない。横型圧縮機１の共振により振動の大きくなる位置に設けられている電極側のばね５ｈのばね定数を相対的に小さくすることにより、振動が低減される。
【００２７】
勿論、電極側のばね５ｈ以外の位置において共振による振動が大きい場合も、その位置におけるばねのばね定数を相対的に小さくすることにより、同様に振動が低減される。
【００２８】
実施の形態３．
以下、この発明の実施の形態３を図面を参照して説明する。
図３は実施の形態３を示す図で、簡略的にレシプロ圧縮機を示した図である。図において、１２はレシプロ圧縮機、１３はレシプロ圧縮機１２の圧縮部を示している。３はレシプロ圧縮機１２の吐出管、４はレシプロ圧縮機１２の吸入管、５ｉは電極側のばね、５ｊは配管側のばね、６は上ゴム、７は下ゴム、８はシェル２の内部に搭載されたモーター、９ａはシェル２に取付けられた電極側フットシェル、１０ａはシェル２に取付けられた配管側フットシェルである。
【００２９】
レシプロ圧縮機１２の中心線に対しレシプロ圧縮機１２は非対称である。従って、電極側フットシェル９ａと配管側フットシェル１０ａの形状は相異なり、レシプロ圧縮機１２の駆動周波数に対し、１０ａが共振しても電極側フットシェル９ａは共振せず、電極側フットシェル９ａのみが大きく振動する。大きく振動する配管側フットシェル１０ａに設けられている配管側のばね５ｊのばね定数は、電極側のばね５ｉのばね定数よりも小さくすることにより、振動が低減される。
【００３０】
実施の形態４．
以下、この発明の実施の形態４を図面を参照して説明する。
図４は実施の形態４を示す図で、冷凍冷蔵庫を機械室側から見た図である。図において、１４は冷凍冷蔵庫で、機械室に実施の形態１または実施の形態２に記載の圧縮機の支持構造を有する横型圧縮機１が搭載されている。
【００３１】
実施の形態１または実施の形態２に記載の圧縮機の支持構造を有する横型圧縮機１が搭載されているものを示したが、実施の形態３に記載のレシプロ圧縮機１２でもよい。
【００３２】
本実施の形態によれば、低騒音、かつ圧縮機の振動による配管の損傷のしにくい冷凍冷蔵庫を提供することができる。
【００３３】
上述の実施の形態では、冷凍冷蔵庫に実施の形態１〜３に記載の圧縮機を搭載したものを示したが、冷凍冷蔵庫に限らず、空気調和機、除湿機等に搭載しても同様の効果が得られる。
【００３４】
【発明の効果】
この発明に係る圧縮機の支持構造は、圧縮機を複数のばねで支持する圧縮機の支持構造において、電極側のばねと配管側のばねを異なるばね定数にして共振を回避するようにした。
【００３５】
また、この発明に係る圧縮機の支持構造は、圧縮機を複数のばねで支持するものにおいて、共振を起こして振動の大きい位置のばねのばね定数を小さくし、共振を回避して圧縮機の振動を抑制したことにより、騒音を低減し、また、圧縮機の配管の振動を小さくし、配管にかかる応力を低減することができる。
【００３６】
また、圧縮機を横型圧縮機で構成したことにより、対称性に乏しく部分的な共振を起こしやすい横型圧縮機の振動を小さくすることによって、騒音を低減し、また、横型圧縮機の振動を小さくし、配管にかかる応力を低減することができる。
【００３７】
この発明に係る冷凍冷蔵庫は、請求項１または請求項２または請求項３記載の圧縮機の支持構造を有することにより、低騒音かつ圧縮機の振動による配管の損傷のしにくい冷凍冷蔵庫を提供することができる。
【００３８】
この発明に係る空気調和機は、請求項１または請求項２または請求項３記載の圧縮機の支持構造を有することにより、低騒音かつ圧縮機による配管の損傷のしにくい空気調和機を提供することができる。
【００３９】
この発明に係る除湿機は、請求項１または請求項２または請求項３記載の圧縮機の支持構造を有することにより、低騒音かつ圧縮機による配管の損傷のしにくい除湿機を提供することができる。
【図面の簡単な説明】
【図１】実施の形態１を示す図で、横型圧縮機の支持構造を示す図である。
【図２】実施の形態２を示す図で、横型圧縮機の支持構造を示す図である。
【図３】実施の形態３を示す図で、レシプロ圧縮機の支持構造を示す図である。
【図４】実施の形態４を示す図で、冷凍冷蔵庫を示す図である。
【図５】従来の複数のばねが同一である横型圧縮機の支持構造を示す図である。
【図６】従来の複数のばねが異なる横型圧縮機の支持構造を示す図である。
【符号の説明】
１  横型圧縮機、２  シェル、３  吐出管、４  吸入管、５ｅ，５ｈ，５ｉ  電極側のばね、５ｇ，５ｊ  配管側のばね、６  上ゴム、７  下ゴム、８  モーター、９，９ａ  電極側フットシェル、１０，１０ａ  配管側フットシェル、１１  アキュムレーター、１２  レシプロ圧縮機、１３  圧縮部、１４  冷凍冷蔵庫。